(57)【要約】【課題】気候変動による局地的な豪雨の頻発や、都市部などの地面の舗装や非透水性物質による被覆などで、大地が降雨を一時的に保水する能力が低下してきており、都市部の中小河川や下水の水処理能力が容易に計画量を超過するため、浸水、冠水などが発生しやすくなってきている。このため、住民の生命や財産をまもるためのきめ細かい水に関する情報の収集と情報提供体制の整備が求められている。【解決手段】上下方向に配置された複数のＩＣタグとタグリーダとからなる液体深度計測装置を要所に配置し、液体深度計測装置により収集した情報を分析処理部で分析処理することで水位等を把握し、情報の提供を行う。【選択図】図１
2009293958.tif 000002
【特許請求の範囲】
【請求項１】
上下方向に配置された一つまたは複数のＩＣタグ（以降、ＩＣタグ部と称す）と、前記ＩＣタグ部の個々のＩＣタグと、すくなくとも無線通信により情報をとり交わすタグリーダ部と、前記情報のとり交わし制御及び分析処理をおこなう制御分析処理部と、をそなえ、前記のＩＣタグが液体に没した状態では無線通信による疎通が損なわれる性質を利用する、液体深度計測装置。
【請求項２】
タグリーダ部が有線通信によりＩＣタグ部へ情報の発信を要求し、ＩＣタグ部が無線通信によりタグリーダ部へ情報を送る、前記請求項１に記載の液体深度計測装置。
【請求項３】
タグリーダ部が無線通信によりＩＣタグ部へ情報の発信を要求し、ＩＣタグ部が有線通信によりタグリーダ部へ情報を送る、前記請求項１に記載の液体深度計測装置。
【請求項４】
タグリーダ部が無線通信によりＩＣタグ部へ情報の発信を要求し、ＩＣタグ部が無線通信によりタグリーダ部へ情報を送る、前記請求項１に記載の液体深度計測装置。
【請求項５】
タグリーダ部が有線通信によりＩＣタグ部へ情報の発信を要求し、ＩＣタグ部が無線通信および有線通信によりタグリーダ部へ情報を送る、前記請求項１に記載の液体深度計測装置。
【請求項６】
タグリーダ部が無線通信によりＩＣタグ部へ情報の発信を要求し、ＩＣタグ部が無線通信および有線通信によりタグリーダ部へ情報を送る、前記請求項１に記載の液体深度計測装置。
【請求項７】
ＩＣタグ部が、あらかじめ定められた時間間隔で、無線通信によりタグリーダ部へ情報を送る、前記請求項１に記載の液体深度計測装置。
【請求項８】
ＩＣタグ部が、あらかじめ定められた時間間隔で、無線通信および有線通信によりタグリーダ部へ情報を送る、前記請求項１に記載の液体深度計測装置。
【請求項９】
前記請求項２、前記請求項３、前記請求項４、前記請求項５、前記請求項６、前記請求項７および前記請求項８に記載の任意の一つまたは複数の液体深度計測装置と、液体深度計測装置からの情報を収集する通信網と、前記通信網により収集された情報を分析処理する情報収集分析処理部と、をそなえた液体深度計測システム。
【請求項１０】
前記請求項９に記載の液体深度計測システムと、液体深度計測システムの情報収集分析処理部の処理結果を伝達する情報通信網とをそなえた、液体深度情報システム。
【請求項１１】
前記請求項２、前記請求項３、前記請求項４、前記請求項５、前記請求項６、前記請求項７および前記請求項８に記載の任意の一つまたは複数の液体深度計測装置と、液体深度計測装置の処理結果にもとづく情報を表示する表示部と、をそなえた、液体深度表示装置。
【請求項１２】
前記請求項９に記載の液体深度計測システムと、液体深度計測システムの情報処理分析処理部の処理結果にもとづく情報を表示する表示部をそなえた、液体深度表示システム。
【発明の詳細な説明】
【技術分野】
【０００１】
本発明は、ＩＣタグ、タグリーダ、有線または無線による情報収集部、情報分析処理部などからなる液体深度計測装置により、アンダーパス、地下街、下水などの様々な場所の液体深度を把握し、冠水、浸水、洪水等の情報を情報網や表示板などにより提供し、人命の安全、設備の保全、交通運愉の円滑化などに資する。
【背景技術】
【０００２】
河川、湖沼、ダム、水路、下水溝など、常時、水がある場所や、低地、アンダーパス、地下通路、地下街、地下鉄の軌道部など、平時は水がないが、降雨時などに浸水、冠水、水の流入などが起きる箇所などの水位を計測するために、超音波式水位計、静電容量式水位計、電極式水位計、振動センサー式水位計などが考案、実用化され、それぞれ、目的、用途、設置場所などに応じて使われている。
【０００３】
超音波水位計は、超音波受波器を水面鉛直上方に取り付け、超音波を水面に向かって発射し、反射して戻ってくるまでの時間を測定することにより水面と超音波受波器間の距離を計測し水位を得ている。音速に温度依存性があるため音速補正用の温度計で補正をおこなう必要がある。測定範囲は０〜１０ｍ以上と広範で測定精度は±１ｃｍ程度と高いが、高価であり、施工面での制約がある。
【０００４】
静電容量式水位計は、水位センサーの内部にワイアーが２本張られており、その線の間の静電容量を水位として計測する。測定範囲として５０ｃｍ〜２ｍ程度のものがあるが、測定範囲が広い場合は複数のセンサーが必要となる。センサーは９Ｖのアルカリ電池を電源として、観測間隔を１０分とすると３ヶ月以上運用でき経済性に優れている。
【０００５】
電極式水位計は、長さの異なる複数の電極棒を設置し、所定の水位になった時点で信号を送出するもので、電極棒は１センサーで５本程度を使用している。施工費用を含めて、経済性に優れているが、測定範囲が狭いため、広範な測定範囲をカバーするためには、複数のセンサーが必要となる。
【０００６】
また、近年、液体に没すると電波の疎通が阻害され、それ以外の状態では電波の疎通が得られるＲＦ-ＩＤタグの特性を利用してタンクなどの容器内容物の液位を検知する方法も考案されている。しかしながら、ＲＦ―ＩＤタグが液体に没したことにより電波の疎通が阻害されたのか、機器異常か、伝搬障害か、などの区別が判然としない場合などがあり、信頼性などの面から課題を残していた。
【０００７】
ところで、都市化の進展にともない、従前は地面が露出していた公園、広場、住宅街の通路などが舗装され、あるいは、非透水性の材質などで被覆されてきている。このため、ひとたび強い雨が降ると、大半の雨水が地面に吸収されることなく、一気に下水講や中小河川に流れ込むことようになってきている。
【０００８】
また、地球温暖化にともなう台風の大型化、季節外れの台風の発生、局地的な豪雨、都市化にともなう都市部での局地的な降雨は、下水や都市河川を短時間で増水させ、計画水量を超過すると、容易に住宅地の浸水、地下街の冠水、ビルの地下室の水没等を引き起こすようになっている。
【０００９】
さらに、高齢化の進展と共に、高齢者世帯や身体能力が低下した人々が確実に増加しており、自然災害などに際して独力で迅速な避難行動がとれない人々へのケアのあり方もクローズアップされてきている。このため、災害の防止や早期の適切な対応をとれるように、地域ごとに、水に関する木目細かな情報の提供が求められるようになっている。
【特許文献１】特開２００３―１９６７７６  地下水位監視システム
【特許文献２】特開２００５―１２７９４８  無線タグを利用した水位検知装置
【特許文献３】特開２００５―３３１３４７  測定システム
【発明の開示】
【発明が解決しようとする課題】
【００１０】
しかしながら、従来の水位計は、機器本体、設置工事、電源供給等、おもに経済性の面から、きめ細かく配置するには難点があった。
【００１１】
本発明はこのような背景のもとに行われたものであり、ＲＦ−ＩＤ、タグリーダ、ネットワーク、情報処理機器等を組み合わせ、様々な環境条件下で、経済的に水位の監視と災害防止のための情報提供を実現することを目的とする。
【課題を解決するための手段】
【００１２】
上下方向に配置された一つまたは複数のＩＣタグ（以降、ＩＣタグ部と称す）と、前記ＩＣタグ部の個々のＩＣタグと、すくなくとも無線通信により情報をとり交わすタグリーダ部と、前記情報のとり交わし制御及び分析処理をおこなう制御分析処理部とをそなえ、ＩＣタグが液体に没した状態では無線通信による疎通が損なわれる性質を利用する液体深度計測装置による。
【００１３】
ＩＣタグ部と、前記ＩＣタグ部の個々のＩＣタグと情報をとり交わすタグリーダ部と、前記情報のとり交わし制御及び分析処理をおこなう制御分析処理部とをそなえ、ＩＣタグが液体に没した状態では無線通信による疎通が損なわれる性質を利用し、タグリーダ部が有線通信によりＩＣタグ部へ情報の発信を要求し、ＩＣタグ部が無線通信によりタグリーダ部へ情報を送る液体深度計測装置による。
【００１４】
ＩＣタグ部と、前記ＩＣタグ部の個々のＩＣタグと情報をとり交わすタグリーダ部と、前記情報のとり交わし制御及び分析処理をおこなう制御分析処理部とをそなえ、ＩＣタグが液体に没した状態では無線通信による疎通が損なわれる性質を利用し、タグリーダ部が無線通信によりＩＣタグ部へ情報の発信を要求し、ＩＣタグ部が有線通信によりタグリーダ部へ情報を送る液体深度計測装置による。
【００１５】
ＩＣタグ部と、前記ＩＣタグ部の個々のＩＣタグと情報をとり交わすタグリーダ部と、前記情報のとり交わし制御及び分析処理をおこなう制御分析処理部とをそなえ、ＩＣタグが液体に没した状態では無線通信による疎通が損なわれる性質を利用し、タグリーダ部が無線通信によりＩＣタグ部へ情報の発信を要求し、ＩＣタグ部が無線通信によりタグリーダ部へ情報を送る液体深度計測装置による。
【００１６】
ＩＣタグ部と、前記ＩＣタグ部の個々のＩＣタグと情報をとり交わすタグリーダ部と、前記情報のとり交わし制御及び分析処理をおこなう制御分析処理部とをそなえ、ＩＣタグが液体に没した状態では無線通信による疎通が損なわれる性質を利用し、タグリーダ部が有線通信によりＩＣタグ部へ情報の発信を要求し、ＩＣタグ部が無線通信および有線通信によりタグリーダ部へ情報を送る液体深度計測装置による。
【００１７】
ＩＣタグ部と、前記ＩＣタグ部の個々のＩＣタグと情報をとり交わすタグリーダ部と、前記情報のとり交わし制御及び分析処理をおこなう制御分析処理部とをそなえ、ＩＣタグが液体に没した状態では無線通信による疎通が損なわれる性質を利用し、タグリーダ部が無線通信によりＩＣタグ部へ情報の発信を要求し、ＩＣタグ部が無線通信および有線通信によりタグリーダ部へ情報を送る液体深度計測装置による。
【００１８】
ＩＣタグ部と、前記ＩＣタグ部の個々のＩＣタグと情報をとり交わすタグリーダ部と、前記情報のとり交わし制御及び分析処理をおこなう制御分析処理部とをそなえ、ＩＣタグが液体に没した状態では無線通信による疎通が損なわれる性質を利用し、ＩＣタグ部が、あらかじめ定められた時間間隔で無線通信によりタグリーダ部へ情報を送る液体深度計測装置による。
【００１９】
ＩＣタグ部と、前記ＩＣタグ部の個々のＩＣタグと情報をとり交わすタグリーダ部と、前記情報のとり交わし制御及び分析処理をおこなう制御分析処理部とをそなえ、ＩＣタグが液体に没した状態では無線通信による疎通が損なわれる性質を利用し、ＩＣタグ部が、あらかじめ定められた時間間隔で無線通信および有線通信によりタグリーダ部へ情報を送る液体深度計測装置による。
【００２０】
ＩＣタグ部と、前記ＩＣタグ部の個々のＩＣタグと、すくなくとも無線通信により情報をとり交わすタグリーダ部と、前記情報のとり交わし制御及び分析処理をおこなう制御分析処理部とからなる液体深度計測装置と、液体深度計測装置からの情報を収集する通信網と、通信網により収集された情報を分析処理する情報収集分析処理部とをそなえた液体深度計測システムによる。
【００２１】
液体深度計測システムと、液体深度計測システムの情報収集分析処理部の処理結果を伝達する情報通信網をそなえた液体深度情報システムによる。
【００２２】
液体深度計測システムと、液体深度計測システムの分析処理部の処理結果にもとづく情報を表示する表示部をそなえた液体深度表示システムによる。
【発明の効果】
【００２３】
遠隔地から、特定の一つまたは複数の地点、または面的な広がりをもつ監視地点との通信の可否状況を比較、分析することで、水位の現況および水位の変化予測をおこなうことができる。このようにして得られた情報を、冠水しやすい箇所の手前や周辺に表示板で表示し、または、近隣住民などにインターネットや屋外拡声器などで情報提供ができる。
【実施例】
【００２４】
本発明は、液体深度計測装置自体、液体深度計測装置の応用としての液体深度計測システム、液体深度表示装置、液体深度表示システム、液体深度情報システム等から構成されている。
【００２５】
実施例では、まず、ＩＣタグとタグリーダ部との情報の取り交わし形態として無線通信、有線通信、または両者の組合せがあり、この組合せを工夫することで、情報収集の信頼度を高めた液体深度計測装置が実現できることを示す。次に、液体深度計測装置の応用形態として、液体深度計測装置に、情報報集のための通信網、情報処理装置、情報伝達のための伝送装置を組み合わせ、液体深度計測システム、液体深度表示装置、液体深度表示システム、液体深度情報システムが実現できることを提示する。
【００２６】
液体深度計測装置は単体でも充分に有用であるが、広域に散在する多数の液体深度計測装置からの情報を集約し、分析処理することにより、液体深度の面的な広がりの状況を把握することも可能となる。単体もしくは広域に散在する液体深度計測装置から情報を収集する通信網は、新規に専用の通信網を構築してもよいが、既存の雨量情報システム、河川情報システム、テレメータシステムなどの監視ポイントに液体深度計測装置を設置すれば、通信網構築の負担を軽減することが可能となる。情報処理装置についても、新規設備の設置でもよいが、前述の通信網と同様、既存システムの情報処理装置の利用やモデファイにより、設備設置面での負担を軽減することが可能となる。また、雨量情報システム、河川情報システム、テレメータシステムが収集した情報と、液体深度計測センサーシステムの情報とを連繋させて分析処理することで、それぞれ個別に処理する場合よりも、より高度な分析や有効利用を図れる可能性を秘めている。
【００２７】
液体深度計測装置、液体深度表示装置、液体深度計測システムおよび液体深度情報システムは、晴天時や降雨量が一定値以下の間は、ＩＣタグからあらかじめ設定した時間間隔で情報を送出させるようにするか、あるいは、タグリーダ部からあらかじめ設定した時間間隔で情報の送信を指示することが一般的となるが、連繋させる雨量情報システムから大雨に関する警戒警報が発令されたり、河川情報システムから増水、洪水などの警報が発令されたりした場合には、タグリーダ部からＩＣタグ部に対して情報の送出頻度を高めることで、時々刻々変化する水位情報の収集と予測を可能とする。
【００２８】
液体深度計測装置、液体深度表示装置、液体深度計測システムおよび液体深度情報システムは、水位などの液体深度の計測を主眼としているが、平常時は、水以外の情報、たとえば、道路やトンネルなどの炭酸ガス濃度、光化学スモッグ濃度、煤煙濃度、視程距離などの各種情報を収集分析し、走行車両や一般住民などに提供することも可能となる。
【００２９】
図１aは、本発明の液体深度計測センサーの基本構成を示したものである。ＩＣタグ部１０１を構成する個々のＩＣタグ（ＩＣタグ１、ＩＣタグ２、ＩＣタグ３、…、ＩＣタグＮ）は、タグリーダ１０２と有線通信、無線通信、または無線通信と有線通信の組合せ１０４により情報をとり交わす。タグリーダがＩＣタグ部と情報をとり交わす頻度や順序等は、あらかじめ標準的な頻度や順序をＩＣタグに記憶させておく形態、制御分析処理部１０３が都度タグリーダ部へ指令１０５する形態、あらかじめ標準的な頻度や順序をＩＣタグに記憶させておくが状況に応じて頻度や順序等を変更する指令を発する形態などがとれる。また、本図では、タグリーダ部と制御分析処理部とが別個の形態となっているが、両者を一体化しても何らの支障はない。
【００３０】
図１ｂは、ＩＣタグ部１１１の最も低い位置にあるＩＣタグ１が水没した状態を示している。水没したＩＣタグ１は無線通信による手段ではタグリーダ１１２と情報をとり交わすこと１１４が出来ない。たとえば、制御分析処理部の指令１１５によりタグリーダ１１２がＩＣタグ部１１１のＩＣタグ１と無線通信により情報をとり交わそうとしたとき、ＩＣタグ１との間の情報が途絶することで、ＩＣタグ１の水没を推測することが可能となる。すなわち、水位がＩＣタグ１を超える深さに達していると判断できる。
【００３１】
図１ｃは、ＲＦ−ＩＤタグ部１２１の最も低い位置から２番目にあるＩＣタグ２までが水没した状態を示している。水没したＩＣタグ１およびＩＣタグ２は無線通信による手段ではタグリーダ１２２と情報をとり交わすこと１２４が出来ない。たとえば、制御分析処理部の指令１２５によりタグリーダ１２２がＩＣタグ部１２１と無線通信により情報をとり交わそうとしたとき、ＩＣタグ１およびＩＣタグ２との間の情報が途絶することで、ＩＣタグ１およびＩＣタグ２の水没を推測することが可能となる。すなわち、水位がＩＣタグ２を超える深さに達していると判断できる。
【００３２】
図２は、タグリーダからＩＣタグ部への照会を有線通信により行い、ＩＣタグ部からタグリーダへ応答を無線通信により行う形態の例を示している。図２ａで、制御分析処理部２０３は、タグリーダ２０２に対して、ＩＣタグ部への情報収集を指令する。情報収集の指令をうけたタグリーダ２０２は、ＩＣタグ部に向けて有線通信２０４により照会情報を伝送する。図２ｂで、照会情報をうけたＩＣタグ部２１１は、タグリーダ部２１２に向けて無線通信２１４により応答情報を伝送する。制御分析処理部２１３は、タグリーダ部２１２が収集した情報を分析処理し液体深度を把握する。
【００３３】
図３は、タグリーダからＩＣタグ部への照会を無線通信により行い、ＩＣタグからタグリーダへ応答を有線通信により行う形態の例を示している。図３ａで、制御分析処理部３０３は、タグリーダ３０２に対して、ＩＣタグ部への情報収集を指令する。情報収集の指令をうけたタグリーダ３０２は、ＩＣタグ部に向けて無線通信３０４により照会情報を伝送する。図３ｂで、照会情報をうけたＩＣタグ部３１１は、タグリーダ部３１２に向けて有線通信３１４により応答情報を伝送する。制御分析処理部３１３は、タグリーダ部３１２が収集した情報を分析処理し液体深度を把握する。
【００３４】
図４は、タグリーダからＩＣタグ部への照会を無線通信により行い、ＩＣタグ部からタグリーダへ応答を無線通信により行う形態の例を示している。図４ａで、制御分析処理部４０３は、タグリーダ４０２に対して、ＩＣタグ部への情報収集を指令する。情報収集の指令をうけたタグリーダ４０２は、ＩＣタグ部に向けて無線通信４０４により照会情報を伝送する。図４ｂで、照会情報をうけたＩＣタグ部４１１は、タグリーダ部４１２に向けて無線通信４１４により応答情報を伝送する。制御分析処理部４１３は、タグリーダ部４１２が収集した情報を分析処理し液体深度を把握する。
【００３５】
図５は、タグリーダからＩＣタグ部への照会を有線通信により行い、ＩＣタグ部からタグリーダへ応答を有線通信および無線通信により行う形態の例を示している。図５ａで、制御分析処理部５０３は、タグリーダ２０２に対して、ＩＣタグ部への情報収集を指令する。情報収集の指令をうけたタグリーダ５０２は、ＩＣタグ部に向けて有線通信５０４により照会情報を伝送する。図５ｂで、照会情報をうけたＩＣタグ部２１１は、タグリーダ部５１２に向けて有線通信５１４および無線通信５１５により応答情報を伝送する。制御分析処理部５１３は、タグリーダ部５１２が収集した情報を分析処理し液体深度を把握する。
【００３６】
図６は、タグリーダからＩＣタグ部への照会を無線通信により行い、ＩＣタグ部からタグリーダへ応答を有線通信および無線通信により行う形態の例を示している。図６ａで、制御分析処理部６０３は、タグリーダ６０２に対して、ＩＣタグ部への情報収集を指令する。情報収集の指令をうけたタグリーダ６０２は、ＩＣタグ部に向けて無線通信６０４により照会情報を伝送する。図６ｂで、照会情報をうけたＩＣタグ部６１１は、タグリーダ部６１２に向けて有線通信６１４及び無線通信６１５により応答情報を伝送する。制御分析処理部６１３は、タグリーダ部６１２が収集した情報を分析処理し液体深度を把握する。
【００３７】
図７は、タグリーダと、ＩＣタグ部との無線通信についての代表的な形態を示しており、タグリーダ７０２がＩＣタグ部７０１の個々のＩＣタグ（ＩＣタグ１、ＩＣタグ２、ＩＣタグ３、…、ＩＣタグＮ）と個別に通信７０４を行っている。
【００３８】
図８は、複数個の液体深度計測装置、通信網および情報収集分析処理部からなる液体深度計測システムの基本構成を示したものである。
図８ａでは、液体深度計測装置８０４が収集した情報をセンサーノード（以降、図中ではＳＮの略称で表示）８０７を介してゲートウエイノード（以降、図中ではＧＮの略称で表示）８０６に集め、情報収集分析処理部８０３に集約し処理している。他の液体深度装置８０５、…、８０６が収集した情報も、それぞれの液体深度装置に対応するセンサーノード８０８、…、８０９を介してゲートウエイノードに集められ、情報収集分析処理部に集約し処理される。一方、図８ｂでは、液体深度計測装置８２４が収集した情報をセンサーノード８０７が隣接するセンサーノード８２５、…、８２６によりリレーされてゲートウエイノード８３０に到達させ、情報収集分析処理部８２３に集約し処理している。他の液体深度計測装置８２５、…、８２６が収集した情報も、同様にリレーされてゲートウエイノード８３０に集められ、統合分析処理部８２３に集約し処理される。
【００３９】
図９は、液体深度計測システムの情報をゲートウエイノード経由で公衆回線、光ファイバー、インターネット、自営マイクロ回線等の通信網に接続して情報処理サーバに情報を集約し処理する形態である。このような収集形態をとることにより、広域に設置された多数の液体深度計測センサーからの情報を集約し、液体深度の広域にわたる変化予測などの高度な情報分析や情報提供などが可能となる。また、ここでは、ゲートウエイノード９１７に警報表示装置９０３を、ゲートウエイノード９２７に警報表示装置９０６を接続して液体深度に関する情報提供を可能としている。
【００４０】
図１０は、液体深度計測装置を利用したアンダーパス（道路が他の道路や鉄道等の下部の低い土地をくぐり抜けるような配置となっている場所）における水位計測と、通行車輌のドライバーなどの道路利用者に警報表示装置により浸水や水没等の情報提供を行うシステムのイメージを示したものである。
図１０ａは、水位計測装置と警報表示装置からなる液体深度計測表示システムの基本構成のイメージであり、ＩＣタグ部１００１、ＩＣタグ部１００２からの情報によりタグリーダ１００３が水位を把握し、センサーノード１００４からゲートウエイノード１００５におくられ、警報表示装置１００６に表示される。
図１０ｂは、前述の図１０ａの基本構成による液体深度計測表示システムがアンダーパスに設置され、通行車輌のドライバーに水没情報を提供している様子を示している。
【図面の簡単な説明】
【００４１】
【図１】液体深度計測装置の基本構成と計測原理
【図２】液体深度計測装置の構成例
【図３】液体深度計測装置の構成例
【図４】液体深度計測装置の構成例
【図５】液体深度計測装置の構成例
【図６】液体深度計測装置の構成例
【図７】液体深度計測装置の通信形態例
【図８】液体深度計測システムの構成例
【図９】広域網を利用した液体深度計測システムの構成例
【図１０】液体深度表示装置例
【符号の説明】
【００４２】
１０１…ＩＣタグ部、１０２…タグリーダ部、１０３…制御分析処理部、１０４…有線通信、無線通信、または有線通信と無線通信の組合せによる情報の受け渡し、１０５…制御分析部とタグリーダ間の情報の受け渡し、１１１…ＩＣタグ部、１１２…タグリーダ部、１１３…制御分析処理部、１１４…有線通信、無線通信、または有線通信と無線通信の組合せによる情報の受け渡し、１１５…制御分析部とタグリーダ間の情報の受け渡し、１２１…ＩＣタグ部、１２２…タグリーダ部、１２３…制御分析処理部、１２４…有線通信、無線通信、または有線通信と無線通信の組合せによる呼出と応答、１２５…制御分析部とタグリーダ間の情報の受け渡し、２０１…ＩＣタグ部、２０２…タグリーダ部、２０３…制御分析処理部、２０４…有線通信による呼出、２１１…ＩＣタグ部、２１２…タグリーダ部、２１３…制御分析処理部、２１４…無線通信による応答、３０１…ＩＣタグ部、３０２…タグリーダ部、３０３…制御分析処理部、３０４…無線通信による呼出、３１１…ＩＣタグ部、３１２…タグリーダ部、３１３…制御分析処理部、３１４…有線通信による応答、４０１…ＩＣタグ部、４０２…タグリーダ部、４０３…制御分析処理部、４０４…無線通信による呼出、４１１…ＩＣタグ部、４１２…タグリーダ部、４１３…制御分析処理部、４１４…無線通信による応答、５０１…ＩＣタグ部、５０２…タグリーダ部、５０３…制御分析処理部、５０４…有線通信による呼出、５１１…ＩＣタグ部、５１２…タグリーダ部、５１３…制御分析処理部、５１４…無線通信および有線通信による応答、６０１…ＩＣタグ部、６０２…タグリーダ部、６０３…制御分析処理部、６０４…無線通信による呼出、６１１…ＩＣタグ部、６１２…タグリーダ部、６１３…制御分析処理部、６１４…無線通信および有線通信による応答、７０１…ＩＣタグ部、７０２…タグリーダ部、７０３…制御分析処理部、７０４…タグリーダと個々のＩＣタグ間の通信、７０５…制御分析部とタグリーダ間の情報の受け渡し、７１１…ＩＣタグ部、７１２…タグリーダ部、７１３…制御分析処理部、７１４…隣接するＩＣタグ相互間のリレーによる通信およびタグリーダと特定のＩＣタグとの通信、７１５…制御分析部とタグリーダ間の情報の受け渡し、８０１…液体深度計測装置群、８０２…通信網、８０３…情報収集分析処理部、８０４…液体深度計測装置、８０５…液体深度計測装置、８０６…液体深度計測装置、８０７…センサーノード、８０８…センサーノード、８０９…センサーノード、８１０…ゲートウエイノード、８２１…液体深度計測装置群、８２２…通信網、８２４…液体深度計測装置、８２５…液体深度計測装置、８２６…液体深度計測装置、８２７…センサーノード、８２８…センサーノード、８２９…センサーノード、８３０…ゲートウエイノード、９０１…液体深度計測装置群、９０２…通信網、９０３…警報表示装置、９０４…液体深度計測装置群、９０５…通信網、９０６…警報表示装置、９０７…広域通信網、９０８…管理事務所、９１１…液体深度計測装置、９１２…液体深度計測装置、９１３…液体深度計測装置、９１４…センサーノード、９１５…センサーノード、９１６…センサーノード、９１７…ゲートウエイノード、９２１…液体深度計測装置、９２２…液体深度計測装置、９２３…液体深度計測装置、９２４…センサーノード、９２５…センサーノード、９２６…センサーノード、９２７…ゲートウエイノード、９３１…情報処理サーバ、９３２…雨量情報システム、１００１…ＩＣタグ部、１００２…ＩＣタグ部、１００３…タグリーダ部、１００４…センサーノード、１００５…ゲートウエイノード、１００６…警報表示装置、１０１１…上部道路、１０１２…水没状態、１０１３…ＩＣタグ部、１０１４…ＩＣタグ部、１０１５…タグリーダ部と制御分析処理部、１０１６…センサーノード、１０１８…ゲートウエイノード、１０１９…ＩＣタグ部、１０２０…ＩＣタグ部、１０２１…タグリーダ部と制御分析処理部、１０２２…センサーノード、１０２３…警報表示板、１０２４…赤色点滅灯、１０２５…接続ケーブル、１０２６…警報表示板、１０２７…赤色点滅灯、１０２８…通行車輌、１０２９…通行車輌、
【図１】
2009293958.tif 000003
【図２】
2009293958.tif 000004
【図３】
2009293958.tif 000005
【図４】
2009293958.tif 000006
【図５】
2009293958.tif 000007
【図６】
2009293958.tif 000008
【図７】
2009293958.tif 000009
【図８】
2009293958.tif 000010
【図９】
2009293958.tif 000011
【図１０】
2009293958.tif 000012